【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
発光素子と、
前記発光素子にソースまたはドレインの一方が接続された第１トランジスタと、
前記第１トランジスタと前記発光素子の間のノードに接続された第２トランジスタと、前記第１トランジスタのゲートと信号線の間に接続された第３トランジスタと、
前記第１トランジスタの前記ソースまたはドレインの他方と電源配線の間に接続された第４トランジスタと、
を有し、
前記発光素子の駆動時において、前記ノードは、前記第２トランジスタを介して、少なくとも第１電位及び前記第１電位と異なる第２電位となる端子に接続されている発光装置。
【請求項２】
前記第１トランジスタの前記ゲートと、前記第３トランジスタと前記第１トランジスタの接続部との間に接続された容量を有する請求項１に記載の発光装置。
【請求項３】
前記端子の電位を前記第１電位とするか前記第２電位とするかを制御する電位制御回路を有する請求項１または２に記載の発光装置。
【請求項４】
前記第２電位は、前記第１電位と前記電源配線の電位との間の電位であり、
前記電位制御回路は、
前記第１トランジスタの前記ゲート及び前記第１トランジスタの前記ソースまたはドレインの前記一方との間の電圧が前記第１トランジスタの閾値電圧である期間において、前記端子の電位を前記第１電位とし、
前記第１電位を供給した後、前記発光素子を発光させるまでに、前記端子の電位を前記第２電位とするように構成される請求項３に記載の発光装置。
【請求項５】
前記第２電位は、前記第１電位と前記電源配線の電位との間の電位であり、
前記第２トランジスタ及び前記第３トランジスタがオン状態、前記第４トランジスタがオフ状態の第１の期間で、前記端子の電位は前記第１電位であり、
前記第１の期間の後、前記第４トランジスタがオン状態に切り替わる前に、前記第２トランジスタがオフ状態に切り替わるとき、前記端子の電位は前記第２電位である請求項１乃至４のいずれか１項に記載の発光装置。
【請求項６】
前記第２トランジスタ及び前記第３トランジスタがオン状態の第２の期間において、前記第４トランジスタがオフ状態に切り替わるとき、前記端子の電位は前記第１電位である請求項５に記載の発光装置。
【請求項７】
前記第１の期間の後であって、前記第４トランジスタがオン状態に切り替わる前に、前記第３トランジスタがオン状態の期間と前記端子の電位が前記第２電位である期間が重なる請求項５または６に記載の発光装置。
【請求項８】
前記発光素子は、第１電極、第２電極、及び前記第１電極と前記第２電極の間に配される発光層を有し、
前記第２トランジスタは前記発光素子の前記第１電極に接続され、
前記第２電位は、前記発光素子の前記第１電極と前記第２電極との間の電圧が、前記発光素子の閾値電圧より小さくなる電位である請求項１乃至７のいずれか１項に記載の発光装置。
【請求項９】
前記第１トランジスタはＰ型トランジスタである請求項１乃至７のいずれか１項に記載の発光装置。
【請求項１０】
前記第２トランジスタ、前記第３トランジスタ、及び前記第４トランジスタはＰ型トランジスタである請求項１乃至８のいずれか１項に記載の発光装置。
【請求項１１】
前記第１トランジスタの前記ソース及びドレインの前記一方は、前記発光素子の陽極に接続され、前記第２電位は、前記第１電位より高い請求項１乃至１０のいずれか１項に記載の発光装置。
【請求項１２】
前記第２トランジスタがオン状態、及び前記第３トランジスタがオフ状態の期間において、前記第４トランジスタをオン状態に切り替え、
前記第４トランジスタをオン状態に切り替えた後、前記信号線に第３電位が供給されている状態で、前記第３トランジスタをオン状態に切り替え、
前記第３トランジスタをオン状態に切り替えた後、前記第２トランジスタをオン状態としたまま前記第４トランジスタをオフ状態に切り替え、
前記第４トランジスタをオフ状態に切り替えた後、前記第３トランジスタをオフ状態に切り替え、
前記第３トランジスタをオフ状態に切り替えた後、前記信号線の電位を前記第３電位より低く、前記発光素子の発光の輝度に対応した第４電位とし、
前記信号線の電位を前記第４電位とした後、前記第２トランジスタをオン状態及び前記第４トランジスタをオフ状態としたまま、前記第３トランジスタをオン状態に切り替え、かつ前記端子の電位を前記第１電位から前記第２電位とし、
前記第３トランジスタをオン状態に切り替えた後、前記第２トランジスタ及び前記第３トランジスタをオフ状態に切り替え、
前記第２トランジスタ及び前記第３トランジスタをオフ状態に切り替えた後、前記第４トランジスタをオン状態に切り替える
請求項１乃至１１のいずれか１項に記載の発光装置。
【請求項１３】
前記第３トランジスタをオン状態に切り替えた後、前記第２トランジスタ及び前記第３トランジスタをオフ状態に切り替える際、前記端子の電位を前記第２電位から前記第１電位に切り替える請求項１２に記載の発光装置。
【請求項１４】
前記容量は、前記第１トランジスタのゲートに接続された第１導電層と、前記第１トランジスタと前記第４トランジスタの接続部に接続された第２導電層と、前記第１導電層及び前記第２導電層の間に配される絶縁層と、を有する請求項２に記載の発光装置。
【請求項１５】
発光素子と、
前記発光素子の駆動を制御する駆動トランジスタと、
前記駆動トランジスタの閾値に応じた電圧を補償する閾値補正部と、
前記駆動トランジスタと前記発光素子の間のノードの電位を設定する電位設定部と、
を有し、
前記発光素子の駆動時において、前記電位設定部は、前記ノードに第１電位及び前記第１電位と異なる第２電位を設定する発光装置。
【請求項１６】
前記電位設定部は、
前記閾値に応じた電圧を補償する際、前記ノードの電位を、前記第１電位とし、
前記補償の後、前記発光素子の発光前に、前記ノードの電位を前記第２電位とする請求項１５に記載の発光装置。
【請求項１７】
前記第１電位、及び前記第２電位は、
前記駆動トランジスタの閾値に応じた電圧を補償する時の、前記駆動トランジスタのソースとドレインの間の電圧が、前記駆動トランジスタの閾値に応じた電圧を補償した後で前記発光素子の発光前の、前記駆動トランジスタの前記ソースとドレインの間の電圧より大きくなるような電位である請求項１６に記載の発光装置。
【請求項１８】
前記電位設定部は、ソース及びドレインの一方が端子に接続され、前記ソース及びドレインの他方が前記ノードに接続された、充電トランジスタを有し、
前記端子の電位を切り替えることで、前記第１電位及び前記第２電位を選択的に供給する請求項１５乃至１７のいずれか１項に記載の発光装置。
【請求項１９】
前記電極は陽極であり、前記第２電位は第１電位より高い請求項１５乃至１８のいずれか１項に記載の発光装置。
【請求項２０】
光が入射する撮像素子と、
前記撮像素子からの出力が入力される制御部と、
前記制御部から信号が入力される、請求項１乃至１９のいずれか１項に記載の発光装置と、
を有する撮像装置。
【手続補正２】
【補正対象書類名】明細書
【補正対象項目名】０００５
【補正方法】変更
【補正の内容】
【０００５】
本発明の一様態は、発光素子と、前記発光素子にソースまたはドレインの一方が接続された第１トランジスタと、前記第１トランジスタと前記発光素子の間のノードに接続された第２トランジスタと、前記第１トランジスタのゲートと信号線の間に接続された第３トランジスタと、前記第１トランジスタの前記ソースまたはドレインの他方と電源配線の間に接続された第４トランジスタと、を有し、前記発光素子の駆動時において、前記ノードは、前記第２トランジスタを介して、少なくとも第１電位及び前記第１電位と異なる第２電位となる端子に接続されている発光装置に関する。
【手続補正３】
【補正対象書類名】明細書
【補正対象項目名】０００６
【補正方法】変更
【補正の内容】
【０００６】
また、本発明の一様態は、発光素子と、前記発光素子の駆動を制御する駆動トランジスタと、前記駆動トランジスタの閾値に応じた電圧を補償する閾値補正部と、前記駆動トランジスタと前記発光素子の間のノードの電位を設定する電位設定部と、を有し、前記発光素子の駆動時において、前記電位設定部は、前記ノードに第１電位及び前記第１電位と異なる第２電位を設定する発光装置に関する。